(57)【特許請求の範囲】
【請求項１】
ロッドストッパを有するソレノイド支持体に固定されて、ソレノイド励磁で吸引作動、ソレノイド消磁で復帰作動をするように、ソレノイドと、該ソレノイドに内設されるプランジャと、該プランジャに延設されたロッドと、該ソレノイドと該ロッドとの間に装着され両者を常時弾発付勢している圧縮コイルスプリングと、からなるソレノイドアクチュエータにおいて、復帰作動時におこる該ロッドと該ロッドストッパとの衝突音を緩衝させるために、該ロッドのロッドストッパと当接する端面部に、該当接面に対し略平行にスリットを設けたことを特徴とするソレノイドアクチュエータ。
【発明の詳細な説明】
【０００１】
【発明の属する技術分野】
本発明は、ロッドストッパを有するソレノイド支持体に固定されて、ソレノイド励磁で吸引作動、ソレノイド消磁で復帰作動をする、プランジャに延設されたロッドを有するソレノイドアクチュエータに係るものであり、詳しくは復帰作動時におこるロッドとロッドストッパとが衝突する際に発生する音を緩衝させる為のロッドの改善に関する。
【０００２】
【従来の技術】
従来、ロッドストッパを有する樹脂成形部材（例えば、ＡＢＳ樹脂）のソレノイド支持体に固定されて、ソレノイド励磁で吸引作動、ソレノイド消磁で復帰作動をするように、銅線（例えば、エナメル線）を樹脂成形部材（例えば、ＡＢＳ樹脂）の円筒状のボビンに巻いて端子片（例えば、銅板）に接続しヨーク（例えば、鉄板）を囲繞したソレノイドと、該ソレノイドに内設される磁性部材のプランジャと、該プランジャに延設された樹脂成形部材（例えば、ＡＢＳ樹脂）のロッドと、該ソレノイドと該ロッドとの間に装着され両者を常時弾発付勢している圧縮コイルスプリング（例えば、ステンレススチール線）と、からなるソレノイドアクチュエータは、復帰作動時におこる該ロッドと該ロッドストッパとの衝突音を緩衝させるために、該ロッドのロッドストッパと当接する端面部に軟質弾性部材（例えば、シリコンゴム）を貼設したり、ロッドストッパに軟質弾性部材を貼設して対策したものが知られている。
【０００３】
【発明が解決しようとする課題】
しかしながら、前記軟質弾性部材をロッド又はロッドストッパに貼設しても、容易に剥がれてしまうという信頼性の問題点があった。
【０００４】
本発明は、従来の技術の有するこのような問題点を鑑みてなされたものであり、その目的とするところは、緩衝の信頼性を向上させながら部品点数を少なくし、組み立てを容易にしてコストダウンが図れるソレノイドアクチュエータを提供しようとするものである。
【０００５】
【課題を解決するための手段】
上記目的を達成するために、本発明のソレノイドアクチュエータは、ロッドストッパを有するソレノイド支持体に固定されて、ソレノイド励磁で吸引作動、ソレノイド消磁で復帰作動をするように、ソレノイドと、該ソレノイドに内設されるプランジャと、該プランジャに延設されたロッドと、該ソレノイドと該ロッドとの間に装着され両者を常時弾発付勢している圧縮コイルスプリングと、からなるソレノイドアクチュエータにおいて、復帰作動時におこる該ロッドと該ロッドストッパとの衝突音を緩衝させるために、該ロッドのロッドストッパと当接する端面部に、該当接面に対し略平行にスリットを設けたものである。
【０００６】
【発明の実施の形態】
発明の実施の形態について図面を参照して説明する。
図１は本発明のソレノイドアクチュエータ５０の平面図である。又、図２は図１の正面断面図である。
樹脂成形部材（例えば、ＡＢＳ樹脂）で形成されるソレノイド支持体１０は、ロッドストッパ１１と、ソレノイド固定爪１２を設ける。
【０００７】
一実施例としてのソレノイド２０は、銅線２２を円筒状のボビン２１に巻いて端子片２３に接続し電気絶縁材２７（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止し、固定鉄心２４を有するヨーク２５を囲繞したものである。
【０００８】
一実施例としてのロッド４０は、樹脂成形部材（例えば、ＡＢＳ樹脂）で形成され、Ｕ字状溝４１を有する端面部にプランジャ３０が差し込まれて連結され、スリット４２を有する端面部がソレノイド支持体１０のロッドストッパ１１と当接する。
本実施例におけるスリット４２は、ロッド４０のロッドストッパ１１と当接する端面部に、該当接面に対し略平行にスリットを設けているが、例えば、Ｓ字（ジグザグ）状スリットであっても、多少該当接面の垂直方向に角度をもたせたスリットであってもよい。又、前記に限定されるものでなく、発明の精神を逸脱しない範囲で多くの組合せ、改変等を施し得るのはもちろんである。
ロッド４０については、ソレノイドアクチュエータを駆使する装置により、色々な形状をしているし、該装置が操作する対象物が異なるために、機能や役割等の詳細を割愛するが、本実施例においては、マイクロスイッチ６０をＯＮ／ＯＦＦさせている。又、吸引作動毎に、ロック機構部品７０でロックされたり、開放されたりしている。
【０００９】
該ソレノイド２０に内設される磁性部材のプランジャ３０と、該プランジャ３０に延設されるロッド４０とを連結し、該プランジャ３０に圧縮コイルスプリング３１を環装させて該ソレノイド２０に挿入する。
その状態で、該ソレノイド支持体１０のソレノイド固定爪１２に該ソレノイド２０を嵌合させ、該ロッドストッパ１１に該ロッド４０のスリット４２を有する端面部を当接させる。これにより圧縮コイルスプリング３１は該ソレノイド２０と該ロッド４０を常時弾発付勢する。該ソレノイド２０は、該ヨーク２５に設けられた螺子孔２６と該ソレノイド支持体１０とを螺子止めする。ロッド４０の支持方法は割愛する。
【００１０】
本発明のソレノイドアクチュエータにおいては、復帰作動時における該ロッド４０と該ロッドストッパ１１との衝突音を１０ｄＢ以上低減させることに成功したものである。
又、吸引作動時における固定鉄心２４とプランジャ３０との衝突音を緩衝させるために、プランジャ３０に凹溝３２を設け、ゴム板３４を貼付けたＥリング３３を環装させて、ほとんど無音にしているが、これは公知技術であるし、他の方法を用いてもよい。
尚、Ｕ字状溝４１にプランジャ３０が差し込まれて連結されているだけなので、両者間には若干の間隙があり、そこから発生する衝撃音が気になる場合は、例えば、発砲ウレタン、スポンジ、ゴム板等のダンパー材を挿入してもよい。
【００１１】
【発明の効果】
本発明のソレノイドアクチュエータにおいては、軟質弾性部材を廃止し、ロッドのロッドストッパと当接する端面部に、該当接面に対し略平行にスリットを設けることにより、緩衝の信頼性を向上させながら部品点数を少なくし、組み立てを容易にしてコストダウンが図れる効果を奏する。
【図面の簡単な説明】
【図１】本発明のソレノイドアクチュエータの平面図である。
【図２】本発明のソレノイドアクチュエータの正面断面図である。
【符号の説明】
１０…ソレノイド支持体、１１…ロッドストッパ、１２…ソレノイド固定爪、２０…ソレノイド、２１…ボビン、２２…銅線、２３…端子片、２４…固定鉄心、２５…ヨーク、２６…螺子孔、２７…電気絶縁材、３０…プランジャ、３１…圧縮コイルスプリング、３２…凹溝、３３…Ｅリング、３４…ゴム板、４０…ロッド、４１…Ｕ字状溝、４２…スリット、５０…ソレノイドアクチュエータ、６０…マイクロスイッチ、７０…ロック機構部品
【図１】
0003674899.tif 000002
【図２】
0003674899.tif 000003